(57)【要約】【課題】蛍光灯を高い天井に設置する際、極力作業員の手作業を省き、作業効率を向上させることが可能な蛍光灯設置具を提供する。【解決手段】本蛍光灯設置具１は、上端が各ソケット３、３に係合される一対のガイドシャフト４、４と、蛍光灯２をその下方から着脱自在に把持する横長の把持部材６と、該把持部材６の一端部を回動及び軸方向移動自在に一方のガイドシャフト４に支持させると共に、該一方のガイドシャフト４に上下動自在に支持される第１支持部材７と、他方のガイドシャフト４に上下動自在に支持されると共に、把持部材６の一端部を回動及び軸方向に移動させる第２支持部材８とから構成されているので、蛍光灯２を高い天井に設置する際、作業者の手作業を極力省くことができ、作業効率を向上させることができる。【選択図】図１
2007207480.tif 000002
【特許請求の範囲】
【請求項１】
天井から下方に突設された一対のソケットに円筒状直管型の蛍光灯を設置するための蛍光灯設置具であって、
該蛍光灯設置具は、上端が前記各ソケットに係合される一対のガイドシャフトと、前記蛍光灯を下方から着脱自在に把持する横長の把持部材と、該把持部材の一端部を回動及び軸方向移動自在に一方のガイドシャフトに支持させると共に、該一方のガイドシャフトに上下動自在に支持される第１支持部材と、前記他方のガイドシャフトに上下動自在に支持されると共に、前記把持部材の一端部を回動及び軸方向に移動させる第２支持部材とを備えることを特徴とする蛍光灯設置具。
【請求項２】
前記第１支持部材は、前記把持部材の一端部に連結された第１回転コマと、前記一方のガイドシャフトに上下動自在に支持された第２回転コマとを伸縮自在の連結部材で連結して構成されることを特徴とする請求項１に記載の蛍光灯設置具。
【請求項３】
前記第２支持部材は、前記他方のガイドシャフトに上下動自在に支持されたローラと、前記把持部材の他端部に取り付けられ、前記ローラが接触して前記把持部材の他端部を支持すると共に、前記把持部材をその一端側に進退自在に誘導する凹凸部を連続して設けた誘導部材とから構成されることを特徴とする請求項１または２に記載の蛍光灯設置具。
【請求項４】
前記ローラは、全周に亘って歯形が複数形成されると共に、前記誘導部材は、前記ローラに設けた複数の歯形に係合する複数の歯形が形成され、前記ローラは駆動手段により回転駆動されることを特徴とする請求項３に記載の蛍光灯設置具。
【発明の詳細な説明】
【技術分野】
【０００１】
本発明は、高い天井を備えた倉庫等において、天井から相互に離間して突設された各ソケットに円筒状直管型の蛍光灯を設置するための蛍光灯設置具に関するものである。
【背景技術】
【０００２】
一般に、倉庫等の高い天井に蛍光灯を設置する場合には、作業者は、踏み台や脚立等を用いて天井に手の届く位置まで登り、その位置で蛍光灯の両端面から突設された各電極棒を天井から突設された各ソケットの各ソケット穴に嵌合して設置していた。しかしながら、蛍光灯の両端面の各電極棒を、各ソケットの各ソケット穴に嵌合させる際には、蛍光灯の端部を微細に動かして、相互の位置合せを行わなければならず、高所におけるこの位置合わせ作業はかなり大変な作業であった。さらには、蛍光灯を設置している最中に作業者がバランスを崩し足元を踏み外して転倒したり、蛍光灯を落下させたりする危険性を伴っていた。
しかも、上述したような作業を行う場合には、脚立に登って蛍光灯を各ソケットに嵌合させる作業者と、この脚立に登っている作業者に蛍光灯を手渡す作業者の少なくとも２人の作業者が必要になり、作業員が増員されて、作業効率が非常に悪かった。
【０００３】
そこで、上述した問題点を解決するべく提案された特許文献１には、天井や壁などの高所に取り付けられる蛍光灯を交換するための取り替え工具が開示されている。
すなわち、この特許文献１の取り替え工具は、蛍光灯の管本体を把持する把持工具と、新品の蛍光灯の口金付近に装着される挿入ガイドと、中央部が蛍光灯の口金の２本の電極の間に挿入される三つ又フォーク状の絶縁材からなる引き外し片を先端に有する着脱工具とを備えており、蛍光灯を設置する際には、蛍光灯の一端に挿入ガイドを取り付け、蛍光灯の中央部を、第１の操作棒の先端に取り付けた把持工具のクリップで把持し、蛍光灯の他端を第２操作棒の先端の着脱工具で保持する。そして、第１の操作棒と第２の操作棒を持って蛍光灯を蛍光灯器具まで上げ、まず、挿入ガイドの一対のガイド板の間でソケットホルダの幅方向の両側を受けるようにし、その状態で、第１の操作棒を上下して蛍光灯の一端面の各電極棒を一方のソケット穴に位置合わせして嵌合させる。次に、第２の操作棒を上げて、その先端の引き外し片の一対のソケットガイド片を他端のソケットホルダーの幅方向の両側に沿わせて蛍光灯の他端の位置決めを行う。この状態から第２の操作棒を他方のソケット側に少し動かして、てこの原理を利用し、蛍光灯の他端の各電極棒をソケットホルダの下端から離脱させると共に、蛍光灯を水平にして、第２の操作棒を他方のソケット側に移動させて、蛍光灯の他端面の各電極棒を一方の各ソケット穴に嵌合させて、蛍光灯を設置している。
【特許文献１】特開平１０−２８３９８５号公報
【発明の開示】
【発明が解決しようとする課題】
【０００４】
しかしながら、特許文献１の発明では、作業者が１人で第１及び第２の操作棒を保持した状態で、いずれか一方の操作棒を操作しなければならず、この作業はかなり難しく、安全面においても不安がある。作業を安全に行うためには、第１及び第２の操作棒それぞれを操作する作業者が少なくとも２名必要になり、作業効率が悪い。また、倉庫等、高さが５ｍ以上もある天井に蛍光灯を設置する場合には、長尺となる第１及び第２の操作棒を持って、その先端を微細に動かす作業が、作業者にとってかなり負担となり、さらに、作業時間も長くなる虞があり、まだ改善する余地がある。
【０００５】
本発明は、かかる点に鑑みてなされたものであり、蛍光灯を床面から５ｍ以上もある高い天井に設置する際、極力作業員の手作業を省き、作業効率を向上させることが可能な蛍光灯設置具を提供することを目的とする。
【課題を解決するための手段】
【０００６】
本発明は、上記課題を解決するための手段として、請求項１に記載した発明は、天井から下方に突設された一対のソケットに円筒状直管型の蛍光灯を設置するための蛍光灯設置具であって、該蛍光灯設置具は、上端が前記各ソケットに係合される一対のガイドシャフトと、前記蛍光灯を下方から着脱自在に把持する横長の把持部材と、該把持部材の一端部を回動及び軸方向移動自在に一方のガイドシャフトに支持させると共に、該一方のガイドシャフトに上下動自在に支持される第１支持部材と、前記他方のガイドシャフトに上下動自在に支持されると共に、前記把持部材の一端部を回動及び軸方向に移動させる第２支持部材とを備えることを特徴とするものである。
このように構成することにより、円筒状直管型の蛍光灯を天井から下方に突設される一対のソケットに嵌合する際には、まず、蛍光灯をその下方から支えるように把持部材により把持させ、一対のガイドシャフトのそれぞれの上端を各ソケットに係合させた状態とする。続いて、第１及び第２支持部材を一対のガイドシャフトに沿って上方にスライドさせると、蛍光灯は把持部材と共に、その一端側が上方に位置するように傾斜されると共に、蛍光灯の一端面の電極棒が、一方のソケットのソケット穴に対向するように配置される。
次に、把持部材の他端側を操作棒等で上方に押し上げると、蛍光灯は把持部材と共に、その一端部を支点に回動しながら一方のソケット側に向かって移動して、蛍光灯の一端面の電極棒が、一方のソケットの各ソケット穴に嵌合しつつ、蛍光灯は把持部材と共に略水平状態となる。そして、蛍光灯は、一方のソケットの付勢により、他方のソケット側に水平移動して、蛍光灯の他端面の電極棒が、他方のソケットのソケット穴に嵌合して、蛍光灯の設置が完了する。
【０００７】
請求項２に記載した発明は、請求項１に記載した発明において、前記第１支持部材は、前記把持部材の一端部に連結された第１回転コマと、前記一方のガイドシャフトに上下動自在に支持された第２回転コマとを伸縮自在の連結部材で連結して構成されることを特徴とするものである。
このように構成することにより、把持部材は第１回転コマを支点に回動自在となり、この第１回転コマは、一方のガイドシャフトに上下動自在に支持された第２回転コマに伸縮自在の連結部材で連結されているため、把持部材は第１回転コマを支点に回動しながらその軸方向の移動が可能となる。
【０００８】
請求項３に記載した発明は、請求項１または２に記載した発明において、前記第２支持部材は、前記他方のガイドシャフトに上下動自在に支持されたローラと、前記把持部材の他端部に取り付けられ、前記ローラが接触して前記把持部材の他端部を支持すると共に、前記把持部材をその一端側に進退自在に誘導する凹凸部を連続して設けた誘導部材とから構成されることを特徴とするものである。
このように構成することにより、把持部材は、他方のガイドシャフトに上下動自在に支持されたローラが誘導部材の上部に設けた凹部に収まることにより、把持部材が他方のガイドシャフトに支持される。その状態から把持部材の他端側が上方に押し上げられると、把持部材がその一端部を支点に回動し始め、ローラが転動しながら誘導部材の中間部に設けた凸部に沿う状態になり、把持部材が一方のソケットに向かって移動されて、蛍光灯の一端面の各電極棒が、一方のソケットの各ソケット穴に嵌合する。続いて、ローラが誘導部材の下部に設けた凹部に収まると同時に蛍光灯が略水平状態となり、蛍光灯は一方のソケットの付勢により他方のソケット側に水平移動して、蛍光灯の他端面の各電極棒が、他方のソケットの各ソケット穴に嵌合する。
【０００９】
請求項４に記載した発明は、請求項３に記載した発明において、前記ローラは、全周に亘って歯形が複数形成されると共に、前記誘導部材は、前記ローラに設けた複数の歯形に係合する複数の歯形が形成され、前記ローラは駆動手段により回転駆動されることを特徴とするものである。
このように構成することにより、ローラが、駆動手段、例えば手動操作式ハンドルやモータ等で回転駆動されると、把持部材はその一端部を支点に回動して、把持部材の他端部が上方に移動する。
【発明の効果】
【００１０】
本発明の請求項１に記載した発明によれば、作業者は、主に、蛍光灯を把持部材に把持させる作業と、各ガイドシャフトの上端を各ソケットにセットする作業と、第１及び第２支持部材を各ガイドシャフトに沿って上方にスライドさせる作業と、把持部材の他端側を押し上げる作業とを行うだけで、蛍光灯を天井に容易に設置することができる。さらに、蛍光灯の両端面の各電極棒を、高所に配置される各ソケットの各ソケット穴に嵌合させる際には、把持部材の他端側を押し上げるだけの作業でそれぞれを嵌合させることができるので、作業を安全に且つ正確に行えるようになり、しかも、作業員は１人で十分であり、作業の効率化を図ることができる。
【００１１】
請求項２に記載した発明によれば、第１支持部材を、第１及び第２回転コマと、これら第１及び第２回転コマを連結する伸縮自在の連結部材とで構成したので、構造が簡素化され効果的である。
【００１２】
請求項３に記載した発明によれば、第２支持部材を、ローラと、把持部材を支持すると共に、把持部材をその一端側に進退自在に誘導する凹凸部を連続して設けた誘導部材とから構成したので、特に、蛍光灯の両端面から突設される各電極棒を、各ソケットの各ソケット穴に嵌合させる動作を簡易な構造で達成でき効果的である。
【００１３】
請求項４に記載した発明によれば、ローラを、駆動手段、例えば手動操作式ハンドルやモータ等で回転駆動させることにより、把持部材はその一端部を支点に回動されると共に、把持部材の他端部が上方に移動されるので、把持部材の他端側を押し上げる作業が不要となり、さらに作業が効率化する。
【発明を実施するための最良の形態】
【００１４】
以下、本発明を実施するための最良の形態を図１〜図１０に基いて詳細に説明する。
倉庫等の建物の天井５０は床面からの距離が５ｍ以上あり、この天井５０には、図１に示すように、所定位置に複数の台座５１が配設されており、これら各台座５１に、円筒状直管型の蛍光灯２が１本または２本並設されて設置される。本実施の形態では、台座５１に蛍光灯２が１本設置される形態を説明する。各台座５１には、一対のソケット３、３が相互に離間して下方に突出するように設けられている。各ソケット３は、図１０に示すように、その内部に、ソケット穴３ｂ、３ｂを２穴有するソケット本体３ａが組み込まれており、ソケット本体３ａはソケット３から突出する方向に付勢されている。そして、図１及び図１０に示すように、円筒状直管型の蛍光灯２の両端面から突設される各電極棒２ａ、２ａ（図８参照）を、台座５１から下方に突設された一対のソケット３、３内のソケット本体３ａ、３ａのソケット穴３ｂ、３ｂに嵌合すれば、蛍光灯２が各ソケット３、３の各ソケット本体３ａ、３ａ間に挟持されて設置される。
【００１５】
そして、蛍光灯２を天井５０から下方に突設された一対のソケット３、３に設置するための、本発明の実施の形態に係る蛍光灯設置具１は、図１及び図２に示すように、上端が各ソケット３、３に係合されて上下方向に延びる各ガイドシャフト４、４と、蛍光灯２をその下方から着脱自在に把持する横長の把持部材６と、該把持部材６の一端部（図１では右端部）を回動及び軸方向移動自在に一方のガイドシャフト（図１では右側のガイドシャフト）４に案内バー５ａを介して支持させると共に、該一方のガイドシャフト４に案内バー５ａを介して上下動自在に支持される第１支持部材７と、他方のガイドシャフト（図１では左側のガイドシャフト）４に案内バー５ｂを介して上下動自在に支持されると共に、把持部材６の一端部を回動及び軸方向に移動させる第２支持部材８とから構成されている。
【００１６】
各ガイドシャフト４、４は、図１及び図２に示すように、その上端部に位置して、各ソケット３の正面（ソケット本体３ａが出没する面）を除く、背面、側面及び底面を覆う箱状の係合部１０と、この係合部１０から下方に延びる支柱部１１とから構成されている。また、各ガイドシャフト４、４の支柱部１１、１１の上部には、連結バー１３が掛け渡されている。さらに、各支柱部１１、１１のそれぞれの対向面には、上下方向略中間部から上部に亘って、各案内バー５ａ、５ｂが固着されている。
【００１７】
各案内バー５ａ、５ｂの内、図１及び図２に示すように、一方の案内バー（図の右側）５ａには、後述する第２回転コマ１５が上下動自在に支持されており、他方の案内バー（図の左側）５ｂには、後述するローラ３１が上下動自在に支持されている。なお、各案内バー５ａ、５ｂには、第２回転コマ１５、ローラ３１の上方へのスライドを制限するための上限ストッパ（図示略）がそれぞれ設けられている。
【００１８】
把持部材６は、図１及び図２に示すように、硬質の合成樹脂材で形成されており、蛍光灯２の一端側（図１では右端側）を若干露出させる程度の長さを有し、蛍光灯２を下方から包むように把持すべく断面コ字状に形成されている。また、把持部材６の対向する側板の内面に、クッション材（図示略）がそれぞれ配置されており、蛍光灯２は、把持部材６内の各クッション材間に着脱自在に装着されるようになる。さらに、図２及び図６に示すように、把持部材６の他端（図２では左端）には、蛍光灯２の他端面（図２は左端面）の全域を覆い、各電極棒２ａ、２ａ（図８参照）との干渉を避ける縦長の各溝部６ｂ’、６ｂ’を有する三つ又部６ｂが設けられている。把持部材６内に蛍光灯２を挿入してセットする際には、この三つ又部６ｂの各溝部６ｂ’、６ｂ’に蛍光灯２の各電極棒２ａ、２ａを挿入するようにしてセットすれば、蛍光灯２の回転方向の位置決めができる。さらにまた、この三つ又部６ｂは、把持部材６がその一端側（図２では右側）に移動される際、蛍光灯２を把持部材６と共に移動できるようにガイドする機能も有している。
【００１９】
この把持部材６に蛍光灯２が把持される把持形態を詳述すると、図１及び図２に示すように、把持部材６の底板６ａに沿って板状把持部３３が延設されており、この板状把持部３３の上面に前述した把持部材６が固定されるようになる。なお、この板状把持部３３は、第２支持部材８の一構成部材として採用される誘導部材３２の一部位として構成されるものである。
この板状把持部３３には、その長手方向に間隔をおいてコ字状の把持フック３６、３６が複数（図では３個）配置されると共に、各把持フック３６の対向する側板間に把持部材６が配されて、板状把持部材３３、把持フック３６の底板及び把持部材６の底板６ａが共に固定ボルト（図示略）で固定されている。
なお、板状把持部３３は、上述しているように、第２支持部材８の一構成部材として採用される誘導部材３２の一部位として構成されるもので、さらに、板状把持部３３は、把持部材６を一方の案内バー５ａに支持させる際、第１支持部材７の構成部材が固定される固定部位としても機能する。
【００２０】
第１支持部材７は、図４に示すように、把持部材６の底板６ａに沿って延びる板状把持部３３の一端部（図４では右端部）に連結された第１回転コマ１６と、一方のガイドシャフト４に案内バー５ａを介して上下動自在に支持された第２回転コマ１５と、これら第１回転コマ１６と第２回転コマ１５とを連結する伸縮自在の連結部材１７とから構成されている。
【００２１】
第１回転コマ１６は、図４に示すように、コ字状の第１受け具１８内を延びるピン部１９に挿通されて、第１受け具１８内において回転自在となる。この第１受け具１８は、板状把持部３３の一端部に固定されたコ字状の固定金具２０に固定されている。そして、蛍光灯２は把持部材６と共に第１回転コマ１６を支点に回動できる形態となる。
【００２２】
第２回転コマ１５は、図４に示すように、コ字状の第２受け具２１内を延びるピン部２２に挿通されて、第２受け具２１内において回転自在となる。この第２受け具２１が、一方の案内バー５ａに上下動自在に支持されている。
また、これら第１回転コマ１６と第２回転コマ１５とは伸縮自在の連結部材１７で連結されており、第１回転コマ１６に連結された把持部材６の軸方向の移動を許容している。
なお、蛍光灯２の回動範囲を規制するために、第１回転コマ１６及び第２回転コマ１５に回動規制手段を設けてよい。
【００２３】
第２支持部材８は、図３に示すように、他方のガイドシャフト４に案内バー５ｂを介して上下動自在に支持されたローラ３１と、把持部材６に取り付けられ、把持部材６をその一端側（図１では右側）に進退自在に誘導する凹凸部４４を連続して設けた誘導部材３２とから構成されている。
【００２４】
ローラ３１は、図３に示すように、コ字状の第３受け具３７内を延びるピン部３８に挿通されて、第３受け具３７内において回転自在となる。この第３受け具３７が、他方の案内バー５ｂに上下動自在に支持されている。
誘導部材３２は、図３に示すように、所定幅を有する直線状の板材を略三角形状に折り曲げて形成されており、上述した、把持部材６の底板６ａに沿って延び、該把持部材６を各把持フック３６を介して把持する板状把持部３３と、該板状把持部３３の他端（図３では左端）から折曲されて下方に延びる板状誘導部３４と、該板状誘導部３４の下端から板状把持部３３側に鋭角状に折曲されて、先端が板状把持部３３の中間部に固定される板状梁部３５とから構成されている。なお、板状把持部３３については、蛍光灯２が把持部材６に把持される把持形態について説明する際に詳述したため、ここでの説明を省略する。
【００２５】
板状誘導部３４は、板状把持部３３の他端から折曲されて下方に延び、さらに、ローラ３１側に、上から第１凹部４０、第１凸部４１、第２凹部４２、第２凸部４３の順で連続する凹凸部４４が湾曲状に曲げられて構成されている。また、板状誘導部３４のローラ３１側の面には、幅方向両端に、ローラ３１が転動する方向をガイドするためのゴム板４５、４５がそれぞれ設けられ、また、その上下端には、ローラ３１の転動範囲を制限するためのストッパ４５ａ、４５ａがそれぞれ設けられている。
【００２６】
次に、本発明の実施の形態に係る蛍光灯設置具１によって、蛍光灯２を天井５０に設置する際の作業の手順と、その際の蛍光灯設置具１の作用を説明する。
まず、作業者は、把持部材６の他端側に設けた三つ又部６ｂの各溝部６ｂ’、６ｂ’に、蛍光灯２の各電極棒２ａ、２ａが挿入されるようにして、蛍光灯２を把持部材６内の各クッション材間に挿入してセットする。
次に、一対のガイドシャフト４、４の上部の各係合部１０、１０を一対のソケット３、３に係合させる。この状態では、他方の案内バー５ｂに上下動自在に支持されたローラ３１は、誘導部材３２の板状誘導部３４の第１凹部４０に収まった状態である。
【００２７】
次に、一方の案内バー５ａに上下動自在に支持された第２回転コマ１５と、他方の案内バー５ｂに上下動自在に支持されたローラ３１とのそれぞれを上限ストッパに当接するまで上方にスライドさせる。すると、図５及び図８に示すように、蛍光灯２は把持部材６と共に、その一端側（図５及び８では右側）が上方に位置するように傾斜し、蛍光灯２の一端面の（図では右端面）の各電極棒２ａ、２ａが、一方のソケット本体３ａの各ソケット穴３ｂ、３ｂに対向するように配置される。この状態が維持されるように、第２回転コマ１５及びローラ３１を各案内バー５ａ、５ｂに図示しない固定手段により固定する。
次に、作業者は、図５及び図８の状態から、把持部材２の他端側（図では左側）、すなわち、誘導部材３２の板状梁部３５の底面を、図示しない操作棒等で押し上げる。すると、図６及び図７に示すように、ローラ３１が板状誘導部３４の第１凹部４０から第１凸部４１に沿うように転動すると共に、蛍光灯２は把持部材６と共に第１回転コマ１６を支点に上方（図８の矢印Ａ方向）に回動しながら、把持部材６の一端側、すなわち、一方のソケット本体３ａに向かって移動される（図８の矢印Ｂ方向）。この時、把持部材６の他端側に設けた三つ又部６ｂが蛍光灯２の他端面に当接されているために、把持部材６が一方のソケット３に向かって移動する際、蛍光灯２も把持部材６の移動に容易に追従して移動することができる。
【００２８】
続いて、図６及び図７に示すように、ローラ３１が第１凸部４１の頂面に達した時点で、蛍光灯２の一端面の各電極棒２ａ、２ａが、一方のソケット本体３ａの各ソケット穴３ｂ、３ｂにやや斜め下方から挿入されて、一方のソケット本体３ａをソケット３の奥まで押し込むようになる。さらに、蛍光灯２は把持部材６と共に第１回転コマ１６を支点に上方に回動して、図９に示すように、ローラ３１が板状誘導部３４の第１凸部４１から転動して第２凹部４２に収まると、把持部材６の他端側の三つ又部６ｂが、蛍光灯２の他端面と他方のソケット本体３ａの正面（各ソケット穴３ｂ、３ｂが露出している面）との間に入り込むようにして、蛍光灯２が把持部材６と共に略水平状態になる。
【００２９】
蛍光灯２が略水平状態となると、一方のソケット本体３ａは他方のソケット本体３ａに向かって付勢されているために、蛍光灯２は把持部材６と共に、他方のソケット本体３ａ側（図９の矢印Ｃ方向）に水平移動して、蛍光灯２の他端面の各電極棒２ａ、２ａが、他方のソケット本体３ａの各ソケット穴３ｂ、３ｂに嵌合される。この時、第１回転コマ１６が把持部材６と共に他方のソケット本体３ａ側に水平移動するため、第１回転コマ１６と第２回転コマ１５とを連結する伸縮自在の連結部材１７が若干伸びる形態となる。
最後に、作業者は、第２回転コマ１５及びローラ３１の各案内バー５ａ、５ｂへの固定手段を解除して、第２回転コマ１５及びローラ３１を各案内バー５ａ、５ｂに沿って下降させれば、把持部材６から蛍光灯２が離脱され、さらに、把持部材６の他端側の三つ又部６ｂが、蛍光灯２の他端面と、他方のソケット本体３ａの正面との間から抜脱され、蛍光灯２の両端面の各電極棒２ａ、２ａが、正常に各ソケット本体３ａ、３ａの各ソケット穴３ｂ、３ｂに嵌合されて、蛍光灯２の設置が完了する。
【００３０】
以上説明したように、本発明の実施の形態に係る蛍光灯設置具１によれば、把持部材６に蛍光灯２をセットした際の初期状態においては、他方の案内バー５ｂに上下動自在に支持されたローラ３１が、把持部材６と連結された誘導部材３２の板状誘導部３４の第１凹部４０に収まった状態であり、この状態から第１及び第２支持部材７、８、すなわち、第２回転コマ１５及びローラ３１のそれぞれを各案内バー５ａ、５ｂに沿って所定位置まで上方に移動させれば、蛍光灯２の一端面の各電極棒２ａ、２ａが、一方のソケット本体３ａの各ソケット穴３ｂ、３ｂに対向するように配置される。
【００３１】
次に、操作棒等により誘導部材３２の板状梁部３５の底面を上方に押し上げれば、蛍光灯２は把持部材６と共に第１回転コマ１６を支点に回動すると共に、蛍光灯２が一方のソケット３に向かって移動される。続いて、ローラ３１が誘導部材３２の第１凸部４１の頂点に達した際、蛍光灯２の一端面の各電極棒２ａ、２ａが、一方のソケット本体３ａの各ソケット穴３ｂ、３ｂに嵌合し、ローラ３１が誘導部材３２の第２凹部４２に収まった状態で、蛍光灯２が略水平状態となる。その後は、一方のソケット本体３ａの付勢により、蛍光灯２が他方のソケット本体３ａ側に水平移動して、蛍光灯２の他端面の各電極棒２ａ、２ａが、他方のソケット本体３ａの各ソケット穴３ｂ、３ｂに嵌合して、蛍光灯２が一対のソケット３、３に挟持された状態で天井５０に設置される。
【００３２】
このように、蛍光灯２を天井５０に設置する際には、作業者は、主に、蛍光灯２を把持部材６に把持させる作業と、各ガイドシャフト４、４を各ソケット３、３にセットする作業と、第１及び第２支持部材７、８を各ガイドシャフト４、４に沿って上方にスライドさせる作業と、把持部材６の他端側、すなわち、誘導部材３２の板状梁部３５の底面を上方へ押し上げる作業とを行うだけで蛍光灯２を天井５０に設置することができる。従って、本蛍光灯設置具１を使用すれば、従来のような、操作棒の端部に蛍光灯２を把持すると共に、操作棒を上下左右に微細に動かして、蛍光灯２の両端面の各電極棒２ａ、２ａを、各ソケット本体３ａ、３ａの各ソケット穴３ｂ、３ｂに嵌合させる、という煩雑な作業が一切不要になった上に、特に、５ｍ以上の高い天井５０に蛍光灯２を設置する作業が簡単で且つ安全なものとなり、作業効率を向上させることができる。また、この作業は、作業者１人で十分であるので、作業員を最低人数にすることも可能になった。
【００３３】
また、本発明の実施の形態に係る蛍光灯設置具１では、作業者が、操作棒等で把持部材６の他端側を押し上げて、把持部材６と共に蛍光灯２を、第１回転コマ１６を支点に回動させることで、蛍光灯２の両端面の各電極棒２ａ、２ａを、各ソケット本体３ａ、３ａの各ソケット穴３ｂ、３ｂに嵌合させて蛍光灯２を天井５０に設置しているが、他の実施形態として、ローラ３１の全周面に歯形を複数設けると共に、誘導部材３２の板状誘導部３４の凹凸部４４に、ローラ３１に設けた各歯形に係合する複数の歯形を設け、さらに、ローラ３１を駆動手段により回転駆動させる構成にする。この駆動手段は、ローラ３１と床面に設置された手動操作式ハンドルとをワイヤ等で掛け渡して、手動操作式ハンドルを手動で回すことによりローラ３１を回転駆動させる構成でもよいし、ローラ３１にモータを連結させて、モータを駆動させることにより、ローラ３１を回転駆動させる構成でもよい。
【００３４】
このように駆動手段によりローラ３１を回転駆動させることにより、把持部材６の他端側が上昇して、蛍光灯２が把持部材６と共に第１回転コマ１６を支点に回動すると共に、蛍光灯２が略水平状態となり、蛍光灯２の両端面の各電極棒２ａ、２ａが、各ソケット本体３ａ、３ａの各ソケット穴３ｂ、３ｂに嵌合される。これにより、作業者によって、操作棒等で把持部材６の他端側を押し上げるという作業が不要となり、作業効率がさらに向上する。
【００３５】
なお、上述した本発明の実施の形態に係る蛍光灯設置具１では、第１及び第２支持部材７、８、すなわち、第２回転コマ１５及びローラ３１を案内バー５ａ、５ｂを介して各ガイドシャフト４、４に上下動自在に支持させて、第２回転コマ１５及びローラ３１を案内バー５ａ、５ｂを介して各ガイドシャフト４、４に沿って上下動させる形態を採用したが、他の実施形態として、各ガイドシャフト４、４に各案内バー５ａ、５ｂを上下動自在に支持させて、各案内バー５ａ、５ｂのそれぞれの所定位置に第２回転コマ１５及びローラ３１を固定しておき、各案内バー５ａ、５ｂを各ガイドシャフト４、４に沿って上下動させる形態を採用してもよい。
【図面の簡単な説明】
【００３６】
【図１】図１は、本発明の実施の形態に係る蛍光灯設置具を示す斜視図である。
【図２】図２は、本発明の実施の形態に係る蛍光灯設置具を示す斜視図である。
【図３】図３は、本蛍光灯設置具の第２支持部材を拡大して示した斜視図である。
【図４】図４は、本蛍光灯設置具の第１支持部材を拡大して示した斜視図である。
【図５】図５は、本蛍光灯設置具の第１及び第２支持部材を上方にスライドさせた状態を示した斜視図である。
【図６】図６は、蛍光灯の一端面の各電極棒が一方の各ソケット穴に嵌合し始めた様子を示した斜視図である。
【図７】図７は、ローラが板状誘導部の第１凸部の頂面に達した状態を拡大して示した斜視図である。
【図８】図８は、本蛍光灯設置具の第１及び第２支持部材を上方にスライドさせた状態を示した模式図である。
【図９】図９は、本蛍光灯設置具によって蛍光灯が設置された際の模式図である。
【図１０】図１０は、ソケットを示した斜視図である。
【符号の説明】
【００３７】
１  蛍光灯設置具，２  蛍光灯，２ａ  電極棒，３  ソケット，３ａ  ソケット本体，３ｂ  ソケット穴，４  ガイドシャフト，６  把持部材，７  第１支持部材，８  第２支持部材，１０  係合部，１３  連結バー，１５  第２回転コマ，１６  第１回転コマ，１７  連結部材，３１  ローラ，３２  誘導部材，３３  板状把持部，３４  板状誘導部，４０  第１凹部，４１  第１凸部，４２  第２凹部，４３  第２凸部，４４  凹凸部，５０  天井
【図１】
2007207480.tif 000003
【図２】
2007207480.tif 000004
【図３】
2007207480.tif 000005
【図４】
2007207480.tif 000006
【図５】
2007207480.tif 000007
【図６】
2007207480.tif 000008
【図７】
2007207480.tif 000009
【図８】
2007207480.tif 000010
【図９】
2007207480.tif 000011
【図１０】
2007207480.tif 000012